(57)【要約】【課題】  操作手段に各種多様な機能を持たせることにより、遊技の演出及び興趣を高め、遊技性の向上を図る。【解決手段】  本発明は、遊技者が操作可能な操作手段５３を備え、操作手段５３の操作により遊技を所望に制御可能な弾球遊技機であって、操作手段５３には、スティックタイプのコントローラ５５が設けられていることを特徴とする。そして、好ましくは、操作手段５３には、さらに、複数の操作部５８を有する十字キー５４が設けられており、スティックタイプのコントローラ５５は、十字キー５４の中央部に突設されているのがよい。【選択図】  図１
2006055481.tif 000002
【特許請求の範囲】
【請求項１】
遊技者が操作可能な操作手段を備え、該操作手段の操作により遊技を所望に制御可能な弾球遊技機であって、
前記操作手段には、スティックタイプのコントローラが設けられていることを特徴とする弾球遊技機。
【請求項２】
前記操作手段には、さらに、複数の操作部を有する十字キーが設けられており、前記スティックタイプのコントローラは、前記十字キーの中央部に突設されている請求項１に記載の弾球遊技機。
【請求項３】
前記十字キーの操作部を操作することにより所望なリーチを選択可能なように構成されていると共に、前記スティックタイプのコントローラを操作することにより所定のタイミングで行なわれるサブゲームを制御可能なように構成されている請求項２に記載の弾球遊技機。
【請求項４】
前記スティックタイプのコントローラの頂部には、さらに、押しボタンが設けられており、該押しボタンを所定のタイミングで押圧操作することにより、所定の演出が行なわれるように構成されている請求項１〜３のいずれか１の請求項に記載の弾球遊技機。
【発明の詳細な説明】
【技術分野】
【０００１】
本発明は、パチンコ遊技機に代表される弾球遊技機に関し、特に、遊技者が操作可能な操作手段を備えており、該操作手段の操作により遊技を所望に制御可能な弾球遊技機に関する。
【背景技術】
【０００２】
従来、パチンコ遊技機においては、遊技盤の前面に形成された遊技領域に図柄表示装置や特定の入賞口等の遊技部品が配設されている。そして、この特定の入賞口に遊技球が入賞することを契機として、図柄表示装置において、図柄の変動表示がなされ、その図柄変動中に、電飾ランプが点灯したり、或いは、所定のキャラクタが出現したりする各種演出が行なわれた後、その図柄の停止態様に応じて遊技者に有利な遊技状態が付与されるようになっている。
【０００３】
さらに、近年においては、遊技者が操作可能な押しボタンを装備したパチンコ遊技機が開発されており、遊技者に所定のタイミングでその押しボタンを押させることにより、遊技への参加による達成感や満足感を遊技者に付与し、遊技性の向上を図ろうとしている。（例えば、特許文献１参照）。
【特許文献１】特開２００４−１１３３５９号公報
【発明の開示】
【発明が解決しようとする課題】
【０００４】
しかしながら、上記した従来の押しボタンを装備したパチンコ遊技機においては、操作手段が押しボタン１個しかなく、操作が単調となるため、遊技の演出の多様化に限界があり、遊技性の向上を図り難いといった問題があった。
【０００５】
本発明は、上記した課題を解決すべくなされたものであり、操作手段に各種多様な機能を持たせることにより、遊技の演出及び興趣を高め、遊技性の向上を図ることのできる弾球遊技機を提供しようとするものである。
【課題を解決するための手段】
【０００６】
本発明は、遊技者が操作可能な操作手段５３を備え、操作手段５３の操作により遊技を所望に制御可能な弾球遊技機であって、操作手段５３には、スティックタイプのコントローラ５５が設けられていることを特徴とする。
【０００７】
そして、好ましくは、操作手段５３には、さらに、複数の操作部５８を有する十字キー５４が設けられており、スティックタイプのコントローラ５５は、十字キー５４の中央部に突設されているのがよい。
【０００８】
また、十字キー５４の操作部５８を操作することにより所望なリーチを選択可能なように構成されていると共に、スティックタイプのコントローラ５５を操作することにより所定のタイミングで行なわれるサブゲームを制御可能なように構成されていてもよい。
【０００９】
さらに、スティックタイプのコントローラ５５の頂部には、さらに、押しボタン５６が設けられており、該押しボタンを所定のタイミングで押圧操作することにより、所定の演出が行なわれるように構成されていてもよい。
【発明の効果】
【００１０】
本発明によれば、操作手段にスティックタイプのコントローラが設けられているため、操作手段に多種多様な機能を持たせることができる。したがって、遊技の演出及び興趣を高めることができ、遊技性の向上を図ることが可能となる等、種々の優れた効果を得ることができる。
【発明を実施するための最良の形態】
【００１１】
以下、図面を参照しつつ、本発明の実施の形態について説明する。なお、以下の説明では、本発明をパチンコ遊技機に適用した場合について例示して説明する。
【００１２】
先ず、図１〜図３を参照しつつ、本実施の形態に係るパチンコ遊技機の構成について説明する。ここで、図１は本実施の形態に係るパチンコ遊技機を示す正面図、図２はその背面図、図３はパチンコ遊技機における制御手段を示す構成ブロック図である。
【００１３】
このパチンコ遊技機は、外郭方形枠サイズに形成されて縦向きの固定保持枠を成す外枠１の開口前面に、外枠１に合わせて方形枠サイズに形成された開閉搭載用の前枠２が、外枠１の正面左側上下に取り付けられたヒンジ金具３ａ，３ｂによって外枠２に対して開閉可能に取り付けられていると共に、外枠１の正面右側に設けられた施錠装置４により閉鎖状態に保持されるようになっている。
【００１４】
前枠２の上部領域には、遊技盤５が収容されており、遊技盤５は、所定板厚の積層合板の表面にセルを貼り付けてルーター加工した化粧版を基板とし、その前面側には、環状に取り付けられたガイドレール６に囲まれて、略円形状の遊技領域７が形成されている。遊技領域７には、その略中央部に画像表示装置８の表示部９が配置されており、画像表示装置８の表示部９の周りには、センター飾り１０、及び始動入賞口１１や大入賞口１２等の入賞装置等がそれぞれ配設されている。そして、始動入賞口１１には始動入賞検出器３６が取り付けられ、大入賞口１２には特定領域（Ｖゾーン）と一般領域とが区画形成され、その特定領域には特定領域通過検出器３７が取り付けられている。また、遊技領域７の下端部には、アウト口１３が配設されており、始動入賞口１１や大入賞口１２等の入賞装置に入賞せずに落下したアウト球を遊技盤５の背面側から機外に排出できるようになっている。
【００１５】
前枠２の前面上部側には、遊技盤５を視認可能なように透明なガラス板１４を備えたガラス扉１５が横向き開閉可能且つ着脱可能に取り付けられ、このガラス扉１５は、常には施錠装置４により遊技盤５の前面を覆うように閉鎖状態に保持されている。また、前枠２の前面下部側であって、ガラス扉１５の下方には、球皿１６が横向き開閉可能且つ着脱可能に取り付けられ、球皿１６は、常には施錠装置（図示せず）により閉鎖状態に保持されている。なお、この球皿１６の詳細な構成については後述する。
【００１６】
一方、前枠２の背面側には、裏セット盤２３が複数のレバー２４により着脱可能に設けられており、その裏セット盤２３には、予備賞球を貯留する球貯留タンク２５、遊技球を整列状態で待機させる待機通路２６、遊技盤５での入賞状態等に基づき賞球を払い出す球払出装置２７、球払出装置２７から払い出された賞球を球皿１７に排出するための球払出通路２８等の賞球装置が装備されている。
【００１７】
さらに、裏セット盤２３には、パチンコ遊技機の作動を統括的に制御する主制御装置２９、画像表示装置８の裏側に位置して画像表示、効果音等の演出、効果ランプ等の表示制御を行うサブ制御装置３０、球払出装置２７を制御する払出制御装置３１、打球発射装置４５の発射強度や発射タイミングを制御する発射用制御装置３２等の各制御手段、及びこれらの各制御手段及び電子部品に電力を供給する電源装置３３等がそれぞれ配設されている。
【００１８】
そして、図３に示すように、主制御装置２９は、画像表示装置８の表示部９に停止表示させる図柄を決定する図柄決定手段４１、十字キー５４の操作の有無を判定する十字キー操作判定手段４４、所望のリーチを選択するリーチ選択手段３８、取得した乱数に基づき大当りの抽選を行なう大当り抽選手段３９、取得した乱数が大当り用の乱数か否かを判定する大当り判定手段４０を備えている。また、サブ制御装置３０は、押しボタン５６の操作に応じて大当りへの演出を行なう大当り演出手段４３、画像表示装置８を制御し、所定の図柄を表示部９に表示させる図柄制御手段４２、コントローラ５５の操作に応じてサブゲームを制御するサブゲーム制御手段４６を備えている。
【００１９】
次に、主に図４を参照しつつ、本実施の形態に係るパチンコ遊技機における球皿１６について説明する。ここで、図４はその球皿を示す正面図である。
【００２０】
この球皿１６には、前面側に膨出して球貯留部５１が形成されており、遊技中に払い出される遊技球をこの球貯留部５１に貯留可能となっている。球貯留部５１の正面左側下部には、操作手段設置面５２が前方に下傾した姿勢で形成されており、操作手段設置面５２には操作手段５３が設けられている。操作手段５３は、十字キー５４と、十字キー５４の中央部に突設され、下端部を支点に傾動自在なスティックタイプのコントローラ５５と、コントローラ５５の頂部に押圧操作可能に設けられた押しボタン５６とから構成されており、十字キー５４には、十字状の突部５７を境界として１／４円状の４個の操作部５８が円形状に配設されている。また、操作手段設置面５２の正面左側には、灰皿５９が着脱可能に設けられており、さらに、球皿１６には、球貯留部５１の正面右側下部に、発射ハンドル６０が前方に突出して取り付けられている。そして、発射ハンドル６０を回転操作することにより、球貯留部５１から供給された遊技球が遊技領域７に発射されるようになっている。
【００２１】
次に、主に図５を参照しつつ、本発明の実施の形態に係るパチンコ遊技機の作用について説明する。ここで、図５は本実施の形態に係るパチンコ遊技機の作用を示すフローチャートである。
【００２２】
遊技者によって遊技領域７内に打ち出された遊技球が、始動入賞口１１に入賞すると、始動入賞検出器３６がこれを検出し（Ｓ１０１）、その検出信号が主制御装置２９に送られる。この検出信号に基づいて、大当り抽選手段３９は抽選用の乱数を取得して大当りの抽選を行ない（Ｓ１０２）、サブ制御装置３０は画像表示装置８に図柄の変動表示を開始させる（Ｓ１０３）。
【００２３】
そして、所定時間、図柄の変動表示が行なわれた後、ステップ１０４においてリーチの図柄になるとサブ制御装置３０が判断した場合、十字キー５４を操作可能な状態にする有効化処理が行なわれ（Ｓ１０５）、これにより、遊技者は十字キー５４の所定の操作部５８を所定のタイミングで押圧操作することにより所望のリーチを選択することができるようになる。次いで、十字キー操作判定手段４４は、遊技者が所定のタイミングで十字キー５４の所定の操作部５８を押圧操作したかどうかを判定し（Ｓ１０６）、その操作が行なわれたと判定した場合には、遊技者の所望するリーチがリーチ選択手段３８により選択され、その選択されたリーチ処理が行われる（Ｓ１０７）。一方、所定のタイミングで所定の操作部５８の押圧操作が行なわれなかったと十字キー操作判定手段４４が判定した場合には、通常のリーチ処理が行われる（Ｓ１０８）。
【００２４】
この場合、十字キー５４が発射ハンドル６０と反対側の正面左側に形成されており、遊技者は発射ハンドル６０を右手で操作しながら、十字キー５４を左手で操作することができ、しかも、十字キー５４の設置場所である操作手段設置面５２が前方に下傾した姿勢で形成されているため、十字キー５４の操作を容易且つ確実に行うことができ、十字キー５４の操作性を高めることができる。
【００２５】
次いで、ステップ１０９において、大当り判定手段４０は、上記取得した乱数が大当り用の乱数か否かを判定し、大当り判定手段４０が大当り用の乱数であると判定した場合には、主制御装置２９において、図柄決定手段４１がその乱数の示す図柄を決定し、サブ制御装置３０において、図柄制御手段４２が、画像表示装置８を制御し、所要の図柄変動表示を行なった後に図柄決定手段４１が決定した図柄を表示部９に停止表示させる（Ｓ１１１）。また、この間、画像表示装置８の表示部９に押しボタン５６の押圧操作の指示が表示され（Ｓ１１０）、その指示に従って遊技者が押しボタン５６を押圧操作すると、サブ制御装置３０の大当たり演出手段４３は図柄制御手段４２を介して表示部９に所定の演出を表示させ、遊技者に大当り時の満足感及び達成感を付与する。
【００２６】
この場合、押しボタン５６は発射ハンドル６０と反対側の正面左側においてコントローラ５５の頂部に設けられており、遊技者は発射ハンドル６０を右手で操作する一方で、コントローラ５５を左手の指の間に挟んだ状態で押しボタン５６を押圧操作することができ、しかも、押しボタン５６の設置場所である操作手段設置面５２が前方に下傾した姿勢で形成されているため、押しボタン５６の操作を容易且つ確実に行うことができ、押しボタン５６の操作性を高めることができる。
【００２７】
そして、このような過程を経て、特別遊技（大当り遊技）に突入すると（Ｓ１１２）、大入賞口１２が開放され、その大入賞口１２に遊技球が入賞した場合には１５球の賞球が遊技者に払い出される。大入賞口１２は、開放してから３０秒経過するか、或いは、１０球の入賞があるかのいずれかの事象が発生した場合に一旦閉鎖するが、大入賞口１２が開放している間に、遊技球の特定領域（Ｖゾーン）への入賞を特定領域通過検出器３６が検出した場合には、大入賞口１２は再度開放される。そして、大入賞口１２が１６回開放し終えるか、或いは、大入賞口１２の開放中に前記特定領域（Ｖゾーン）への入賞がなかった場合には、特別遊技は終了する。
【００２８】
また、この特別遊技の間、画像表示装置８の表示部９においてサブゲームが行なわれ、そのサブゲーム中に遊技者がコントローラ５５を傾動操作したり、或いは、押しボタン５６を押圧操作したりすると、サブ制御装置３０のサブゲーム制御手段４６は、それらの操作に応じてサブゲームを制御する。この場合、押しボタン５６は発射ハンドル６０と反対側の正面左側においてコントローラ５５の頂部に設けられており、遊技者は発射ハンドル６０を右手で操作する一方で、コントローラ５５を左手の指の間に挟んだ状態で押しボタン５６を操作することができ、しかも、コントローラ５５及び押しボタン５６の設置場所である操作手段設置面５２が前方に下傾した姿勢で形成されているため、コントローラ５５及び押しボタン５６の操作を容易且つ確実に行うことができ、それらの操作性を高めることができる。また、コントローラ５５が傾動操作自在に設けられていると共にその頂部に押しボタン５６が押圧操作可能に設けられており、複数の操作が可能となるため、サブゲームの内容の多様化が図れ、演出効果をより一層高めることができる。
【００２９】
なお、上記実施の形態における操作手段５３の機能は、単なる例示に過ぎず、例えば、操作手段５３を操作することにより、リーチ時や大当り遊技時等に発せられる音量を調節可能なように構成したりする等、操作手段５３に多種多様な機能を持たせることができる。したがって、遊技の演出や興趣を高めることができ、遊技性の向上を図ることが可能となる。
【００３０】
また、上記した実施の形態では、操作手段５３として、コントローラ５５の他に十字キー５４及び押しボタン５６を設けているが、コントローラ５５を単独で設置してもよい。
【００３１】
さらに、操作手段５３の設置位置は、上記した位置に限定されるものではなく、ガラス扉１５の脇等、他の位置であってもよい。
【００３２】
さらにまた、上記実施の形態においては、本発明をパチンコ遊技機に適用した場合について説明したが、これは単なる例示に過ぎず、本発明は、パチンコ遊技機以外の弾球遊技機にも適用可能であることは言う迄もない。
【図面の簡単な説明】
【００３３】
【図１】本発明の実施の形態に係るパチンコ遊技機を示す正面図である。
【図２】本発明の実施の形態に係るパチンコ遊技機を示す背面図である。
【図３】本発明の実施の形態に係るパチンコ遊技機における制御手段を示す構成ブロック図である。
【図４】本発明の実施の形態に係るパチンコ遊技機における球皿を示す正面図である。
【図５】本発明の実施の形態に係るパチンコ遊技機の作用を示すフローチャートである。
【符号の説明】
【００３４】
５３          操作手段
５４          十字キー
５５          コントローラ
５８          操作部
【図１】
2006055481.tif 000003
【図２】
2006055481.tif 000004
【図３】
2006055481.tif 000005
【図４】
2006055481.tif 000006
【図５】
2006055481.tif 000007